(57)【要約】【課題】ジャーナルデータの自動収集を可能とし、資金の効率的な運用等に利用できるようにする。【解決手段】自動取引装置４で取引実行により発生したジャーナルデータを暗号化して通信回線６を介してジャーナル管理サーバ１に送信し、ジャーナル管理サーバ１は受信したジャーナルデータを第１の記憶装置２に格納して一括管理する。【選択図】        図１
2008084345.tif 000002
【特許請求の範囲】
【請求項１】
複数の自動取引装置と、該複数の自動取引装置と通信回線を介して接続されたジャーナル管理サーバにより構成されるジャーナルデータ管理システムにおいて、
前記自動取引装置は、取引実行により発生するジャーナルデータを前記ジャーナル管理サーバに伝送するジャーナルデータ伝送手段を備え、
前記ジャーナル管理サーバは、前記複数の自動取引装置よりジャーナルデータを受信するジャーナルデータ受信手段と、該受信した複数のジャーナルデータを一括して記憶／管理するジャーナルデータ記憶／管理手段とを備えることを特徴とするジャーナルデータ管理システム。
【請求項２】
請求項１記載のジャーナルデータ管理システムにおいて、
前記自動取引装置から前記ジャーナル管理サーバへのジャーナルデータの伝送は、前記自動取引装置においてジャーナルデータが発生する毎に行われることを特徴とするジャーナルデータ管理システム。
【請求項３】
請求項１または請求項２記載のジャーナルデータ管理システムにおいて、
前記自動取引装置は、ジャーナルデータを記憶するジャーナルデータ記憶手段を備え、前記ジャーナル管理サーバからのジャーナルデータ格納完了通知の受信により前記ジャーナル管理サーバに伝送したジャーナルデータの消去を可能としたことを特徴とするジャーナルデータ管理システム。
【請求項４】
請求項１乃至請求項３のいずれか１項に記載のジャーナルデータ管理システムにおいて、
前記自動取引装置はジャーナルデータを暗号化してジ前記ジャーナル管理サーバに伝送し、
前記ジャーナル管理サーバは前記暗号化したジャーナルデータを前記ジャーナルデータ記憶／管理手段に記憶することを特徴とするジャーナルデータ管理システム。
【請求項５】
通信回線を介してジャーナル管理サーバに接続されたより自動取引装置において、
取引実行により発生するジャーナルデータを前記ジャーナル管理サーバに伝送するジャーナルデータ伝送手段を備えたことを特徴とする自動取引装置。
【請求項６】
複数の自動取引装置と通信回線を介して接続されたジャーナル管理サーバにおいて、
前記複数の自動取引装置よりジャーナルデータを受信するジャーナルデータ受信手段と、該受信した複数のジャーナルデータを一括して記憶／管理するジャーナルデータ記憶／管理手段とを備えたことを特徴とするジャーナル管理サーバ。
【発明の詳細な説明】
【技術分野】
【０００１】
本発明は、自動取引装置における電子化ジャーナルデータを一括管理する技術に関するものである。
【背景技術】
【０００２】
従来、自動取引装置で行われる取引の内容はジャーナルデータとしてジャーナル用紙に印字して保存するようにしていた。一方、最近では、当該データを電子化して、自動取引装置にＭＯ，ＣＤ−Ｒ等の電子媒体を備え、これにジャーナルデータを記録することで、その記録量の大容量化及び低コスト化が押し進められてきている。
【発明の開示】
【発明が解決しようとする課題】
【０００３】
しかしながら上述した従来の技術では、以下の問題がある。
ジャーナルデータをジャーナル用紙に印字するものでは、そのジャーナル用紙を比較的短いサイクルで交換、回収する必要があるうえ、交換、回収に手間がかかり、特に店舗外等の遠隔地に自動取引装置が設置されている場合は、その設置場所に行かなければならないために不便であった。
【０００４】
また、ＭＯ，ＣＤ−Ｒ等の電子媒体にジャーナルデータを記録保存する場合、各自動取引装置が個別に行っていたため、装置内に保存される期間が長くなり、しかもデータは取引上のトラブルが発生したときの原因究明等、限られた場合にのみ取り出されるだけでデータとしての有効利用ができていなかった。
本発明はこのような問題を解決することが可能なジャーナルデータ管理システムの実現を課題とするものである。
【課題を解決するための手段】
【０００５】
そのため、本発明は、複数の自動取引装置と、該複数の自動取引装置と通信回線を介して接続されたジャーナル管理サーバにより構成されるジャーナルデータ管理システムにおいて、前記自動取引装置は、取引実行により発生するジャーナルデータを前記ジャーナル管理サーバに伝送するジャーナルデータ伝送手段を備え、前記ジャーナル管理サーバは、前記複数の自動取引装置よりジャーナルデータを受信するジャーナルデータ受信手段と、該受信した複数のジャーナルデータを一括して記憶／管理するジャーナルデータ記憶／管理手段とを備えることを特徴とする。
【発明の効果】
【０００６】
このようにした本発明は、複数の自動取引装置でそれぞれ発生したジャーナルデータを自動取引装置から通信回線を介してジャーナル管理サーバに送信し、ジャーナル管理サーバは受信したジャーナルデータをジャーナルデータ記憶／管理手段に記憶して一括管理するようにしているため、係員が自動取引装置の設置場所に行かなくともジャーナルデータを収集することができるという効果が得られる。
【０００７】
また、１個所でデータを集中して管理することが可能であるため、取引の状況等の統計データを作成して、資金の効率的な運用等に利用することができるという効果も得られる。
【発明を実施するための最良の形態】
【０００８】
以下、図面を参照して本発明によるジャーナルデータ管理システム、及び自動取引装置、ジャーナル管理サーバの実施例について説明する。
【実施例】
【０００９】
図１は実施の形態の構成を示す概略図で、この図に示したシステムは、ジャーナル管理サーバ１、ＭＯ等の第１記憶装置２、ＨＤ等の第２の記憶装置３、及び複数台の自動取引装置（ＡＴＭ）４により構成されている。
ジャーナル管理サーバ１は銀行等のセンタあるいは他の拠点等に設置され、このジャーナル管理サーバ１に第１記憶装置２と第２の記憶装置３がそれぞれ接続されている。
【００１０】
また、自動取引装置４は顧客の操作により各種の金融取引を実行するもので、銀行等の営業店や無人店舗等に設置されている。
これらの自動取引装置４は各々ジャーナルデータ用のＨＤ等の記憶装置５を有し、通信回線６を介してジャーナル管理サーバ１に接続されている。
次に、上述した構成の作用について説明する。
【００１１】
各々の自動取引装置４は、取引の実行等によりジャーナルデータが発生する毎に当該ジャーナルデータを一旦記憶装置５に書き込んで保存すると共に、通信回線６を介してジャーナル管理サーバ１に送信する。
このようにジャーナルデータが発生する毎に各自動取引装置４から通信回線６を介してジャーナル管理サーバ１に送信するため、通信回線への負荷が軽減され、無理なくジャーナル管理サーバ１に送信することができる。
【００１２】
図２は取引を実行した場合のジャーナルデータの一例を示す図で、取引の日付及び時刻、店番号、各自動取引装置４に与えられている装置番号（機械番号）、取引種目（支払い、入金等）、顧客の口座番号、取引金額のほか、取引媒体としてカードが用いられた場合はエンボス、自動取引装置４が撮影装置を備えている場合は顧客の画像、更に取引中の装置トラブルの有無等もデータに加えられる。
【００１３】
このジャーナルデータのジャーナル管理サーバ１への送信に際しては、一般の通信回線６を用いることから、傍受されることを防止する必要があるため、ジャーナルデータは自動取引装置４で暗号化する。
ジャーナル管理サーバ１は自動取引装置４から送られてきた暗号化されたジャーナルデータを第１の記憶装置２と第２の記憶装置３に格納するが、このとき第２の記憶装置３は、第１の記憶装置２への書き込み不良等が発生した場合のバックアップとして用いられ、従ってジャーナルデータは第２の記憶装置３に格納された後、第１の記憶装置２へ格納される。
【００１４】
第１の記憶装置２にジャーナルデータが格納されると、ジャーナル管理サーバ１はジャーナルデータを送ってきた自動取引装置４に対して通信回線６を介して格納完了の旨の通知を行う。
この通知を受けた自動取引装置４は、自身が保有する記憶装置５に格納してあるジャーナルデータに保存済のデータを付加し、当該ジャーナルデータの消去を可能にする。
【００１５】
このようにして各自動取引装置４が取引実行等によるジャーナルデータの発生毎に、そのジャーナルデータをジャーナル管理サーバ１に送信し、ジャーナル管理サーバ１で順次第１の記憶装置２に格納して蓄積することで、ジャーナルデータを一括管理する。
この第１の記憶装置２に蓄積したジャーナルデータは定期的あるいは必要に応じて取り出し、復号化して店舗毎の取引状況（日、週、月、季節毎の傾向や繁忙帯の割り出し等）や、自動取引装置４毎の現金の入出金状況、顧客の利用率等の統計をとる等、各種の解析を行い、解析結果を該当店舗等にフィードバックしたり、資料として保存する。
【００１６】
尚、上述した実施例では、自動取引装置４として顧客が操作する装置としたが、金融機関の窓口でオペレータが操作する窓口装置や、出納係や渉外員等が利用するオープン出納機と呼ばれる自動取引装置のジャーナルデータもジャーナル管理サーバ１を送信して一括管理することも可能である。
以上説明した実施例によれば、複数の自動取引装置でそれぞれジャーナルデータが発生する毎に、そのジャーナルデータを自動取引装置から通信回線を介してジャーナル管理サーバに送信し、ジャーナル管理サーバが受信したジャーナルデータを記憶装置に格納して一括管理するようにしているため、係員が自動取引装置の設置場所に行かなくともジャーナルデータを収集することができるという効果が得られる。
【００１７】
また、１個所でデータを集中して管理することが可能であるため、取引の状況等の統計データを作成して、資金の効率的な運用等に利用することができ、更に、ジャーナルデータは発生する毎に各自動取引装置から通信回線を介してジャーナル管理サーバに送信するため、通信回線への負荷が軽減され、無理なくジャーナル管理サーバに送信することができるという効果も得られる。
【図面の簡単な説明】
【００１８】
【図１】実施の形態の構成を示す概略図
【図２】ジャーナルデータの一例を示す図
【符号の説明】
【００１９】
１ ジャーナル管理サーバ
２ 第１記憶装置
３ 第２の記憶装置
４ 自動取引装置（ＡＴＭ）
５ 記憶装置
６ 通信回線
【図１】
2008084345.tif 000003
【図２】
2008084345.tif 000004